(57)【要約】【課題】効率良く動作確認をすることができ、しかも必要な電源容量を小さく抑えることができる薬剤収容装置を提供する。【解決手段】薬剤収容装置１０１は、筐体２と、薬剤を収容する複数の収容部３６が円筒面に沿って配置され、筐体２内で回動可能な回動部と、回動部を駆動する駆動部と、複数の収容部３６に一対一で対応する複数の表示部３７と、駆動部および複数の表示部３７を制御する制御部とを備える。複数の表示部３７の各々は、複数の収容部３６のうち対応する収容部３６に設けられる。筐体２は視認部としての窓１７を備える。表示部の動作確認の際には、前記制御部は、前記駆動部によって回動部２０を回動させつつ、複数の表示部３７のうち、前記視認部を通じて筐体２の外部から視認可能な表示部３７については表示を行ない、筐体２の外部から視認不可能な表示部３７については表示を行なわない。【選択図】図６
2018121754.tif 000002
【特許請求の範囲】
【請求項１】
筐体と、
薬剤を収容する複数の収容部を備え、前記複数の収容部が軸線を中心とする円筒面に沿って配置され、前記筐体内で前記軸線を中心として回動可能な回動部と、
前記回動部が前記軸線を中心として回動するように、前記回動部を駆動する駆動部と、
前記複数の収容部に一対一で対応する複数の表示部と、
前記駆動部および前記複数の表示部を制御する制御部とを備え、
前記複数の表示部の各々は、前記複数の収容部のうち、対応する収容部に設けられ、前記円筒面の径方向の外方に臨み、前記対応する収容部に関する情報を表示し、
前記筐体は、前記複数の表示部のうち、前記軸線を中心とする周方向の所定範囲内に位置する表示部を、前記筐体の外部から視認可能とする視認部を備え、
前記表示部の動作確認の際には、前記制御部は、前記駆動部によって前記回動部を回動させつつ、前記複数の表示部のうち、前記視認部を通じて前記筐体の外部から視認可能な表示部については表示を行ない、前記筐体の外部から視認不可能な表示部については表示を行なわない、薬剤収容装置。
【請求項２】
前記複数の表示部の各々は、少なくとも１つの発光素子を備え、前記少なくとも１つの発光素子を選択的に発光状態にすることで、前記対応する収容部に関する情報を表示し、
前記表示部の動作確認の際には、前記制御部は、前記駆動部によって前記回動部を回動させつつ、前記複数の表示部のうち、前記視認部を通じて前記筐体の外部から視認可能な表示部については前記少なくとも１つの発光素子のすべてを発光状態にし、前記筐体の外部から視認不可能な表示部については前記少なくとも１つの発光素子のすべてを非発光状態にする、請求項１に記載の薬剤収容装置。
【請求項３】
前記視認部は、透明な材料で形成された部分を含む、請求項１または２に記載の薬剤収容装置。
【請求項４】
前記筐体は、前記複数の収容部のうち前記所定範囲内に位置する収容部を前記筐体の外部に開放する開口部と、前記開口部を開閉する開閉部とを備え、
前記視認部は、前記開閉部に設けられる、請求項３に記載の薬剤収容装置。
【請求項５】
前記制御部は、前記開閉部が開状態のときは、前記駆動部による前記回動部の回動を禁止する、請求項４に記載の薬剤収容装置。
【発明の詳細な説明】
【技術分野】
【０００１】
本発明は、薬剤収容装置に関するものである。
【背景技術】
【０００２】
特開２０１０−４６４６９号公報（特許文献１）に、ドラムを備える薬剤払出装置システムが記載されている。このシステムはメイン貯留部を備え、メイン貯留部はドラムを有する。ドラムの外周面に錠剤を収容するための複数のカセットが取り付けられている。
【先行技術文献】
【特許文献】
【０００３】
【特許文献１】特開２０１０−４６４６９号公報
【発明の概要】
【発明が解決しようとする課題】
【０００４】
調剤作業を目的としているか否かを問わず、薬剤を収容する機能を有する装置を、以下「薬剤収容装置」というものとする。薬剤収容装置においては、装置の電源を投入した後、通常動作に入る前に、装置各部でいわゆるイニシャル動作が行なわれる。イニシャル動作には、各部の初期化、自己診断が含まれる。薬剤収容装置に備えられたドラムにおいては、動作確認のために、たとえば時計回りおよび反時計回りに回転および停止が行なわれる。装置がＬ，Ｒの２つのドラムを備えている場合には、これら２つの両方において動作確認のために回転および停止が行なわれる。
【０００５】
ドラムには多数のカセットが備わっている。ドラムには、各カセットに対応してＬＥＤ（Light Emitting Diode）が設けられている場合がある。イニシャル動作の際には、これらのＬＥＤを発光させる。これによって、使用者（修理員を含む。以下同じ。）は、ＬＥＤが正常に動作する状態であるか否かを目視によって確認することができる。
【０００６】
このような薬剤収容装置では、使用者が、全てのＬＥＤについて、効率よく動作確認できることが望まれる。多数のＬＥＤが存在するからである。そこで、動作確認にあたって、全てのＬＥＤを一斉に発光させることが考えられる。ところが、全てのＬＥＤを一斉に発光させるとなると、大きな電力が必要となり、電源容量を大きくしなければならない。また、そもそも全てのＬＥＤを一斉に発光させたとしても、使用者が全てのＬＥＤについて同時に動作確認できるわけではない。各ＬＥＤがドラムの外周面に沿って配置されているからである。
【０００７】
そこで、本発明は、効率良く動作確認でき、しかも必要な電源容量を小さく抑えることができる薬剤収容装置を提供することを目的とする。
【課題を解決するための手段】
【０００８】
上記目的を達成するため、本発明に基づく薬剤収容装置は、筐体と、薬剤を収容する複数の収容部を備え、上記複数の収容部が軸線を中心とする円筒面に沿って配置され、上記筐体内で上記軸線を中心として回動可能な回動部と、上記回動部が上記軸線を中心として回動するように、上記回動部を駆動する駆動部と、上記複数の収容部に一対一で対応する複数の表示部と、上記駆動部および上記複数の表示部を制御する制御部とを備える。上記複数の表示部の各々は、上記複数の収容部のうち、対応する収容部に設けられ、上記円筒面の径方向の外方に臨み、上記対応する収容部に関する情報を表示し、上記筐体は、上記複数の表示部のうち、上記軸線を中心とする周方向の所定範囲内に位置する表示部を、上記筐体の外部から視認可能とする視認部を備える。上記表示部の動作確認の際には、上記制御部は、上記駆動部によって上記回動部を回動させる際に、上記複数の表示部のうち、上記視認部を通じて上記筐体の外部から視認可能な表示部については表示を行ない、上記筐体の外部から視認不可能な表示部については表示を行なわない。
【発明の効果】
【０００９】
本発明によれば、薬剤収容装置において、効率良く動作確認でき、しかも電源容量を小さく抑えることができる。
【図面の簡単な説明】
【００１０】
【図１】本発明に基づく実施の形態１における薬剤収容装置の斜視図である。
【図２】本発明に基づく実施の形態１における薬剤収容装置の一方の扉を開けた状態の斜視図である。
【図３】本発明に基づく実施の形態１における薬剤収容装置の扉、側板などを取り去った状態の斜視図である。
【図４】本発明に基づく実施の形態１における薬剤収容装置に備わる回動部の模式的な斜視図である。
【図５】本発明に基づく実施の形態１における薬剤収容装置に備わる分割体の斜視図である。
【図６】本発明に基づく実施の形態１における薬剤収容装置の部分斜視図である。
【図７】本発明に基づく実施の形態１における薬剤収容装置の部分断面図である。
【発明を実施するための形態】
【００１１】
（実施の形態１）
（構成）
図１〜図７を参照して、本発明に基づく実施の形態１における薬剤収容装置について説明する。
【００１２】
本実施の形態における薬剤収容装置１０１は、多数種類の薬剤を収容し、処方箋に基づいて薬剤を供給する。医師などが患者に交付する処方箋には、処方情報が記載されている。処方情報は薬剤情報を含む。薬剤情報は、薬名、分量、用法および用量を含む。薬剤収容装置１０１は、薬剤として、固形の薬剤を収容する。固形の薬剤としては、錠剤、丸剤、カプセル剤などが挙げられる。薬剤収容装置１０１は、薬剤分包装置の一部であってもよい。
【００１３】
本実施の形態における薬剤収容装置１０１の外観を図１に示す。薬剤収容装置１０１は、筐体２を備える。筐体２は前板４と側板８と天井部５とを備える。筐体２の正面側においては、扉６ａ、前板４および扉６ｂがこの順に並んで配置されている。筐体２の正面側の中央に上下方向に延在するように前板４が配置され、前板４の左右両側に対称に扉６ａ，６ｂが取り付けられている。扉６ａ，６ｂはそれぞれ取っ手１６ａ，１６ｂを備えている。使用者は取っ手１６ａ，１６ｂを持って扉６ａ，６ｂを開閉することができる。扉６ａ，６ｂの各々は窓１７を備える。薬剤収容装置１０１は、正面側に入力部５１を備える。入力部５１はたとえば図１に示すように前板４に取り付けられている。筐体２の左右の側面には側板８が配置されている。
【００１４】
薬剤収容装置１０１の扉６ａを開けた状態を図２に示す。扉６ａを開けたことによって開口部３を通じて回動部２０が見えている。筐体２の扉６ａ，６ｂ、前板４、側板８を取り去った状態を図３に示す。天井部５は、上下方向に延在する数本の柱１１によって支持されている。複数の柱１１のうち少なくとも４本は、天井部５の四隅を支えるように配置されている。天井部５の下には２つの回動部２０が配置されている。回動部２０は「ドラム」とも呼ばれる。各回動部２０は個別に回動可能に設置されている。ここでは１台の薬剤収容装置１０１が２つの回動部２０を備える例を示すが、１台の薬剤収容装置が備える回動部の数は２以外であってもよい。薬剤収容装置に備わっている回動部が１つであってもよく、３つ以上であってもよい。
【００１５】
回動部２０の構造を図４に模式的に示す。１つの回動部２０は４つの分割体３０を組み合わせたものを含み、円筒形となっている。回動部２０は上下方向に延びる軸線８１のまわりに回動することができるように支持されている。ここでは、１つの回動部２０が９０°ごとの合計４つの分割体の組合せであるものとしたが、これはあくまで一例であり、１つの回動部はｎ個の分割体の組合せであってよい。ｎは２以上の整数である。ｎの値によって、分割体の１個当たりの中心角は変わり得る。分割体の１個当たりの中心角は、たとえば３６０°をｎ等分した角度であってよい。回動部はｎ個の分割体を含み、さらにこれらの分割体を互いにつなぎとめる機構またはこれらの分割体を保持する機構を備えていてもよい。
【００１６】
図４に示すように、回動部２０は駆動部６１によって軸線８１のまわりに回動する。駆動部６１は、たとえばモータを含む。図４に示した駆動部６１の形状は、模式的なものであり、実際にはこのとおりの形状とは限らない。駆動部６１は、制御部６２によって制御される。１台の薬剤収容装置１０１に複数の回動部２０が備わっている場合、回動部２０の各々に個別に駆動部６１が設けられていてよい。複数の回動部２０に対して制御部６２の数は１つであってもよい。１つの制御部６２が複数の駆動部６１を制御する構成であってよい。
【００１７】
１つの分割体３０を取り出したところを図５に示す。分割体３０は、上部３４と、下部３５とを備える。上部３４と下部３５との間に複数の収容部３６が配列されている。収容部３６は、カセット３１と支持部３２とを含む。カセット３１は収容部本体である。カセット３１は支持部３２によって支持されている。カセット３１は支持部３２に対して着脱可能である。複数のカセット３１の各々には、複数の薬剤が収容されている。すなわち、たとえば薬剤が錠剤である場合には、１つのカセット３１の中に複数錠の薬剤が収容されている。複数のカセット３１のうちいずれか１つのカセット３１に注目した場合、１つのカセット３１の中には基本的に同種の薬剤のみが収容されている。複数のカセット３１に注目した場合、原則として別々のカセット３１には異なる種類の薬剤がそれぞれ収容されている。ただし、使用頻度が高い薬剤については、複数のカセット３１にわたって同種類の薬剤が収容されていてもよい。複数のカセット３１の各々は、それぞれの内部に収容している薬剤を排出することができる。カセット３１には着脱の際に使用者が持つための取っ手がついていてもよい。この例では、１つの分割体３０には、軸方向Ｚに９個、周方向θに４個の合計３６個の収容部３６が配列されているが、これはあくまで一例であり、１つの分割体３０に含まれる収容部３６の個数および配列の仕方は、ここに示したものに限らない。
【００１８】
薬剤収容装置１０１の部分拡大図を図６に示す。扉１６ａは閉められている。扉１６ａに設けられた窓１７を通じて回動部２０の一部が見えている。窓１７には透明な板材が張られており、この透明な板材を通して回動部２０の一部を視認することができるようになっている。回動部２０には、複数の表示部３７が設けられる。複数の表示部３７は、複数の収容部３６に一対一で対応する。複数の表示部３７の各々は、複数の収容部３６のうち、対応する収容部３６に設けられる。表示部３７は、収容部３６の一部である支持部３２に設けられる。複数の収容部３６の各々は、表示部３７を備える。表示部３７は、たとえば発光素子を含む。ここでいう発光素子はたとえばＬＥＤである。１つの表示部３７が複数のＬＥＤを含んでいてもよい。複数の収容部３６が上下に並んだ集合体を「列」とすると、少なくとも１つの列に属する複数の収容部３６に対応する複数の表示部３７を一括して視認することができるように、窓１７は上下方向に長くなっている。図６では、薬剤収容装置１０１に２つある窓１７のうち一方に注目して表示しているが、他方の窓１７においても状況は同様である。
【００１９】
薬剤収容装置１０１の部分断面図を図７に示す。図７は、薬剤収容装置１０１のうち図６で示した部分を水平な面で切った断面を真上から見たものである。回動部２０は、軸線８１の周りに回動するが、回動部２０の外周面は、窓１７を通じて見ることができる第１区間８５と窓１７を通じて見ることができない第２区間８６とに分けられる。回動部２０に含まれる各列は、回動部２０の回動につれて第１区間８５と第２区間８６とを通過する。
【００２０】
薬剤収容装置１０１の構成は、以下のように表現することができる。
薬剤収容装置１０１は、筐体２と、回動部２０とを備える。回動部２０は、薬剤を収容する複数の収容部３６を備える。複数の収容部３６が軸線８１を中心とする回動部２０の円筒面に沿って配置されている。回動部２０は、筐体２内で軸線８１を中心として回動可能である。さらに薬剤収容装置１０１は、回動部２０が軸線８１を中心として回動するように、回動部２０を駆動する駆動部６１と、複数の収容部３６に一対一で対応する複数の表示部３７と、駆動部６１および前記複数の表示部３７を制御する制御部６２とを備える。
【００２１】
複数の表示部３７の各々は、複数の収容部３６のうち、対応する収容部３６に設けられる。複数の表示部３７の各々は、前記円筒面の径方向の外方に臨み、対応する収容部３６に関する情報を表示する。筐体２は、複数の表示部３７のうち、軸線８１を中心とする周方向の所定範囲内に位置する表示部３７を、筐体２の外部から視認可能とする視認部を備える。ここで示す例では、視認部は窓１７を含む。
【００２２】
表示部３７の動作確認の際には、制御部６２は、駆動部６１によって回動部２０を回動させつつ、複数の表示部３７のうち、視認部を通じて筐体２の外部から視認可能な表示部３７については表示を行ない、筐体２の外部から視認不可能な表示部３７については表示を行なわない。すなわち、ある１つの表示部３７に注目したとき、当該表示部３７が第１区間８５にあるときには当該表示部３７による表示を行なうが、当該表示部３７が第２区間８６にあるときには当該表示部３７による表示を行なわない。視認部は上下に長いので、列ごとに一括して同様の扱いであってよい。すなわち、同一の列に属する複数の表示部３７においては、表示のＯＮ／ＯＦＦは同期して切り替えることとしてよい。視認部から同時に２列分の表示部３７が見える場合には、同時に２列分の表示部３７で表示が行なわれる。
【００２３】
（作用・効果）
本実施の形態における薬剤収容装置では、表示部３７の動作確認の際に、制御部６２は、駆動部６１によって回動部２０を回動させつつ、視認部を通じて筐体２の外部から視認可能な表示部３７については表示を行なう。したがって、使用者は、全ての表示部３７について効率良く動作確認をすることができる。しかも、制御部６２は、駆動部６１によって回動部２０を回動させる際に、筐体２の外部から視認不可能な表示部３７については表示を行なわない。したがって、動作確認のために必要な電力を抑えることができ、電源容量を小さく抑えることができる。
【００２４】
制御部６２は、上述のような制御を、駆動部６１の動作確認の際に行なってもよく、あるいは、駆動部６１の動作確認とは別のタイミングで行なってもよい。制御部６２が上述のような制御を駆動部６１の動作確認の際に行なう場合には、駆動部６１の動作確認と複数の表示部３７の動作確認とを並行して行なうことができる。
【００２５】
本実施の形態で示したように、複数の表示部３７の各々は、少なくとも１つの発光素子を備えることが好ましい。複数の表示部３７の各々は、少なくとも１つの発光素子を選択的に発光状態にすることで、対応する収容部に関する情報を表示することが好ましい。この構成を採用することにより、簡単な構造でありながら、使用者にとって視認しやすい表示部とすることができる。
【００２６】
この場合、表示部３７の動作確認の際には、制御部６２は、駆動部６１によって回動部２０を回動させつつ、複数の表示部３７のうち、視認部を通じて筐体２の外部から視認可能な表示部３７については少なくとも１つの発光素子のすべてを発光状態にし、筐体２の外部から視認不可能な表示部３７については少なくとも１つの発光素子のすべてを非発光状態にすることが好ましい。この構成を採用することにより、使用者が、全ての表示部３７について、効率良く動作確認をすることができ、しかも動作確認のために必要な電力を抑えることができ、電源容量を小さく抑えることができる。
【００２７】
本実施の形態で示したように、視認部は、透明な材料で形成された部分を含むことが好ましい。本実施の形態では、視認部は、窓１７として開口部に張られた透明な板状の部材を含む。この構成を採用することにより、使用者の安全を確保しつつ表示部３７を視認可能とすることができる。
【００２８】
本実施の形態で示したように、筐体２は、複数の収容部３６のうち前記所定範囲内に位置する収容部３６を筐体２の外部に開放する開口部３と、開口部３を開閉する開閉部とを備え、前記視認部は、前記開閉部に設けられることが好ましい。本実施の形態では、扉６ａ，６ｂが開閉部に相当し、窓１７が視認部に相当する。この構成を採用することにより、筐体２内の収容部３６に対して何らかの作業を行ないたいときには開閉部を開状態にすることにより、開口部３を通じて効率良く作業を行なうことができ、なおかつ、動作確認のために回動部２０を回動させる際や実際に処方箋に基づいて薬剤を扱う作業を行なう際には、開閉部を閉状態として使用者の安全を確保することができる。また、開閉部をなるべく閉状態としておくことにより、開口部３を通じて筐体２内部に異物が入り込む確率を低減することができる。また、この構成では、視認部が開閉部に設けられるので、筐体２内の収容部３６について、使用者が視認可能な位置と使用者が操作可能な位置とが同一となる。したがって、使い勝手が良くなる。
【００２９】
制御部６２は、前記開閉部が開状態のときは、駆動部６１による回動部２０の回動を禁止することが好ましい。この構成を採用することにより、使用者の安全をより確実に確保することができる。
【００３０】
なお、上記各実施の形態では、回動部２０の軸線８１が上下方向に延びている例を示したが、軸線８１は他の方向に延びていてもよい。
【００３１】
なお、上記実施の形態のうち複数を適宜組み合わせて採用してもよい。
なお、今回開示した上記実施の形態はすべての点で例示であって制限的なものではない。本発明の範囲は特許請求の範囲によって示され、特許請求の範囲と均等の意味および範囲内でのすべての変更を含むものである。
【符号の説明】
【００３２】
２  筐体、３  開口部、４  前板、５  天井部、６ａ，６ｂ  扉、８  側板、１１  柱、１６ａ，１６ｂ  取っ手、１７  窓、２０  回動部、３０  分割体、３１  カセット、３２  支持部、３４  上部、３５  下部、３６  収容部、３７  表示部、５１  入力部、６１  駆動部、６２  制御部、８１  軸線、８５  第１区間、８６  第２区間、１０１  薬剤収容装置。
【図１】
2018121754.tif 000003
【図２】
2018121754.tif 000004
【図３】
2018121754.tif 000005
【図４】
2018121754.tif 000006
【図５】
2018121754.tif 000007
【図６】
2018121754.tif 000008
【図７】
2018121754.tif 000009